(57)【要約】【課題】花名シールや写真等の表示シートを貼付体と覆い体とで挟み込んだ状態で表示することができ、表示シートは外部に露呈せずに貼付体と覆い体とで覆うことができ、表示シートを覆い体を介して透視することができ、このため、表示シートに対する風雨や日光等の外部環境の影響を抑制することができ、それだけ、表示シートの早期剥離や早期劣化を防ぐことができ、耐久使用を期待することができる。【解決手段】植木鉢等の園芸用容器Ｗ内の土に差し込み可能な差込体１の上部に花名シールや写真等の表示シートを貼付可能な貼付体２を形成すると共に貼付体に貼付された表示シートＳを覆う透視可能な覆い体３を該貼付体に折返部４を介して連続形成し、覆い体に該差込体を挿通可能な挿通穴部４を形成し、覆い体を折返部で折り返して差込体を挿通穴部に差し込むことにより覆い体に貼付された表示シートを覆い体により覆い保持するように設けてなる。【選択図】        図１
2004252018.tif 000002
【特許請求の範囲】
【請求項１】
植木鉢等の園芸用容器内の土に差し込み可能な差込体の上部に花名シールや写真等の表示シートを貼付可能な表示体を形成すると共に該表示体に貼付された表示シートを覆う透視可能な覆い体を該表示体に折返部を介して連続形成し、該覆い体に該差込体を挿通可能な挿通穴部を形成し、該覆い体を折返部で折り返して該差込体を該挿通穴部に差し込むことにより該覆い体に貼付された表示シートを覆い体により覆い保持するように設けてなることを特徴とする園芸用表示具。
【請求項２】
上記折返部は上記表示体と上記覆い体との境部分の幅を狭めることにより形成されていることを特徴とする請求項１記載の園芸用表示具。
【請求項３】
上記差込体、表示体及び覆い体は透視可能な合成樹脂製シート材により一体形成されていることを特徴とする請求項１又は２記載の園芸用表示具。
【発明の詳細な説明】
【０００１】
【発明の属する技術分野】
本発明は例えば植木鉢等の園芸用容器に用いられる園芸用表示具に関するものである。
【０００２】
【従来の技術】
【０００３】
【特許文献１】
特開２００２−３２３８５３号公報
【０００４】
従来、この種の園芸用表示具として、植木鉢等の園芸用容器内の土に差し込み可能な差込体の表面に植物の種類を記入する構造のものが知られている。
【０００５】
【発明が解決しようとする課題】
しかしながらこの従来構造の場合、上記差込体の表面に花名シールや写真等の表示シートを貼付したとすると、表示シートが直接外部に露呈することになり、このため、表示シートが直接風雨や日光等の外部環境の影響を受けることになり、表示シートの早期剥離や早期劣化が生じ易いことがあるという不都合を有している。
【０００６】
【課題を解決するための手段】
本発明はこのような不都合を解決することを目的とし、本発明のうちで、請求項１記載の発明は、植木鉢等の園芸用容器内の土に差し込み可能な差込体の上部に花名シールや写真等の表示シートを貼付可能な表示体を形成すると共に該表示体に貼付された表示シートを覆う透視可能な覆い体を該表示体に折返部を介して連続形成し、該覆い体に該差込体を挿通可能な挿通穴部を形成し、該覆い体を折返部で折り返して該差込体を該挿通穴部に差し込むことにより該覆い体に貼付された表示シートを覆い体により覆い保持するように設けてなることを特徴とする園芸用表示具にある。
【０００７】
又、請求項２記載の発明にあっては、上記折返部は上記表示体と上記覆い体との境部分の幅を狭めることにより形成されていることを特徴とするものであり、又、請求項３記載の発明は、上記差込体、表示体及び覆い体は透視可能な合成樹脂製シート材により一体形成されていることを特徴とするものである。
【０００８】
【発明の実施の形態】
図１乃至図５は本発明の実施の形態例を示し、１は差込体であって、植木鉢等の園芸用容器Ｗ内の土に差し込み可能に形成され、この差込体１の上部に花名シールや写真等の表示シートＳを貼付可能な表示体２を形成すると共に表示体２に貼付された表示シートＳを覆う透視可能な覆い体３を表示体２に折返部４を介して連続形成し、覆い体３に差込体１を挿通可能な挿通穴部５を形成し、覆い体３を折返部４で折り返して差込体１を挿通穴部５に差し込むことにより覆い体３に貼付された表示シートＳを覆い体３により覆い保持するように設けて構成している。尚、表示体２を透視可能に形成することもできる。
【０００９】
この場合、上記折返部４は上記表示体２と上記覆い体３との境部分に切込部４ａ・４ａを形成して幅を狭めると共に三本の折り返し溝４ｂを形成してなる。
【００１０】
又、この場合、上記差込体１、表示体２及び覆い体３は透明材又は半透明材等の透視可能な合成樹脂製シート材により一体形成されている。
【００１１】
この実施の形態例は上記構成であるから、図２、図４の如く、展開状態において、花名シールや写真等の表示シートＳを表示体２に貼付し、貼付後に、覆い体３を折返部４で折り返して差込体１を挿通穴部５に挿通し、図１、図３の如く、差込体１を挿通穴部５に完全に挿通すると、覆い体３は表示体２上の表示シールＳを覆うことになり、差込体１の挿通穴部５への挿通により覆い状態が保持されることになり、この状態で、図５の如く、差込体１を花木Ｍの植木鉢等の園芸用容器Ｗ内の土に差し込むことになる。尚、表示シートＳを覆い体３に貼付してもよい。
【００１２】
従って、花名シールや写真等の表示シートＳを表示体２と覆い体３とで挟み込んだ状態で表示することができ、表示シートＳは外部に露呈せずに表示体２と覆い体３とで覆うことができ、表示シートＳを覆い体３を介して透視することができ、このため、表示シートＳに対する風雨や日光等の外部環境の影響を抑制することができ、それだけ、表示シートＳの早期剥離や早期劣化を防ぐことができ、耐久使用を期待することができる。
【００１３】
又、この場合、上記折返部４は上記表示体２と上記覆い体３との境部分の幅を狭めることにより形成されているから、折返部４を容易に形成することができ、又、この場合、上記差込体１、表示体２及び覆い体３並びに折返部４は透視可能な合成樹脂製シート材により一体形成されているから製作が容易となり、製作コストを低減することができる。
【００１４】
尚、本発明は上記実施の形態例に限らず、差込体１、表示体２及び覆い体３の形態や構造、折返部４の形態や構造、大きさ等は適宜変更して設計される。
【００１５】
【発明の効果】
本発明は上述の如く、請求項１記載の発明にあっては、展開状態において、花名シールや写真等の表示シートを表示体に貼付し、貼付後に、覆い体を折返部で折り返して差込体を挿通穴部に挿通し、差込体を挿通穴部に完全に挿通すると、覆い体は表示体上の表示シールを覆うことになり、差込体の挿通穴部への挿通により覆い状態が保持されることになり、この状態で、差込体を植木鉢等の園芸用容器内の土に差し込むことになり、従って、花名シールや写真等の表示シートを表示体と覆い体とで挟み込んだ状態で表示することができ、表示シートは外部に露呈せずに表示体と覆い体とで覆うことができ、表示シートを覆い体を介して透視することができ、このため、表示シートに対する風雨や日光等の外部環境の影響を抑制することができ、それだけ、表示シートの早期剥離や早期劣化を防ぐことができ、耐久使用を期待することができる。
【００１６】
又、請求項２記載の発明にあっては、上記折返部は上記表示体と上記覆い体との境部分の幅を狭めることにより形成されているから、折返部を容易に形成することができ、又、請求項３記載の発明にあっては、上記差込体、表示体及び覆い体は透視可能な合成樹脂製シート材により一体形成されているから製作が容易となり、製作コストを低減することができる。
【００１７】
以上所期の目的を充分達成することができる。
【図面の簡単な説明】
【図１】本発明の実施の形態例の全体斜視図である。
【図２】本発明の実施の形態例の展開状態の正面図である。
【図３】本発明の実施の形態例の折り返し状態の正面図である。
【図４】本発明の実施の形態例の使用状態の展開斜視図である。
【図５】本発明の実施の形態例の使用状態の正面図である。
【符号の説明】
Ｗ  園芸用容器
１  差込体
２  表示体
３  覆い体
４  折返部
５  挿通穴部
【図１】
2004252018.tif 000003
【図２】
2004252018.tif 000004
【図３】
2004252018.tif 000005
【図４】
2004252018.tif 000006
【図５】
2004252018.tif 000007